(57)【要約】【課題】高圧領域から低圧領域への密封対象流体の漏れ量を抑制することができるシールリングを提供する。【解決手段】軸２００の外周に設けられた環状溝２１０に装着され、相対的に回転する軸２００とハウジング３００との間の環状隙間を封止して、密封対象流体が存在する高圧領域（Ｈ）と低圧領域（Ｌ）とを隔てるシールリング１００において、低圧領域（Ｌ）側の側面において、低圧領域（Ｌ）に露出する位置から内周面側に向かって内周面には届かない位置まで延びる溝（１１０）を備える。【選択図】図６
2013185689.tif 000002
【特許請求の範囲】
【請求項１】
軸の外周に設けられた環状溝に装着され、相対的に回転する前記軸とハウジングとの間の環状隙間を封止して、密封対象流体が存在する高圧領域と低圧領域とを隔てるシールリングにおいて、
低圧領域側の側面において、低圧領域に露出する位置から内周面側に向かって内周面には届かない位置まで延びる溝を備えるシールリング。
【請求項２】
前記溝における、シールリングに対する前記環状溝の側面の摺動方向側の壁面が、外周面側から内周面側に向かって、シールリングに対する前記環状溝の側面の摺動方向に傾斜している請求項１に記載のシールリング。
【請求項３】
前記軸と前記ハウジングとが正方向のみならず逆方向にも相対的に回転し、
低圧領域側の側面において前記溝が複数設けられており、
一部の溝における、シールリングに対する前記環状溝の側面の正回転時の摺動方向側の壁面が、外周面側から内周面側に向かって、シールリングに対する前記環状溝の側面の正回転時の摺動方向に傾斜しており、
他の一部の溝における、シールリングに対する前記環状溝の側面の逆回転時の摺動方向側の壁面が、外周面側から内周面側に向かって、シールリングに対する前記環状溝の側面の逆回転時の摺動方向に傾斜している請求項２に記載のシールリング。
【請求項４】
前記溝が第一の溝であって、
前記低圧領域側の側面において、内周面から外周面側に向かって低圧領域に露出する位置には届かない位置まで延びる第二の溝をさらに備える請求項１から３のいずれか一項に記載のシールリング。
【請求項５】
前記第二の溝における、シールリングに対する前記環状溝の側面の摺動方向側の壁面が、内周面側から外周面側に向かって、シールリングに対する前記環状溝の側面の摺動方向に傾斜している請求項４に記載のシールリング。
【請求項６】
前記軸と前記ハウジングとが正方向のみならず逆方向にも相対的に回転し、
低圧領域側の側面において前記第二の溝が複数設けられており、
一部の第二の溝における、シールリングに対する前記環状溝の側面の正回転時の摺動方向側の壁面が、内周面側から外周面側に向かって、シールリングに対する前記環状溝の側面の正回転時の摺動方向に傾斜しており、
他の一部の第二の溝における、シールリングに対する前記環状溝の側面の逆回転時の摺動方向側の壁面が、内周面側から外周面側に向かって、シールリングに対する前記環状溝の側面の逆回転時の摺動方向に傾斜している請求項５に記載のシールリング。
【発明の詳細な説明】
【技術分野】
【０００１】
本発明は、相対的に回転する軸とハウジングとの間の環状隙間を封止するシールリングに関するものである。
【背景技術】
【０００２】
従来、相対的に回転する軸とハウジングとの間の環状隙間を封止するシールリングが知られている。図１２を参照して、従来例に係るシールリングについて説明する。図１２は従来例に係るシールリングの使用状態を示す模式的断面図である。
【０００３】
シールリング５００は、軸２００の外周に設けられた環状溝２１０に装着され、相対的に回転する軸２００とハウジング３００との間の環状隙間を封止して高圧領域（Ｈ）と低圧領域（Ｌ）とを隔てる機能を発揮する。ここで、シールリング５００は、高圧領域（Ｈ）中の密封対象流体の流体圧力によって、環状溝２１０の低圧領域（Ｌ）側の側面及びハウジング３００における軸孔の内周面３１０に対して密接した状態を維持することにより、シール性を発揮する。
【０００４】
また、シールリング５００は、軸２００とハウジング３００との相対回転時に、環状溝２１０の低圧領域（Ｌ）側の側面や、ハウジング３００における軸孔の内周面３１０に対して摺動するため、潤滑膜（油膜など密封対象流体による膜）が安定的に形成されるか否かが耐久性に大きく影響する。何故なら、潤滑膜が形成されないと摺動抵抗が高くなるだけでなく、摺動摩耗により生じた摩耗粉や、異物などが摺動部に介在してしまうと摺動摩耗がより一層促進されてしまい、寿命が著しく低下してしまう。特に、軸２００がアルミニウム合金などの軟質材の場合には、上記のような問題がより一層顕著になる。
【０００５】
一方、軸２００及びハウジング３００とシールリング５００との間における潤滑性を高めるために低圧領域（Ｌ）への密封対象流体の漏れ量を増加させると、高圧領域（Ｈ）内の圧力を所望の圧力に維持するために該高圧領域（Ｈ）に供給する密封対象流体の量を増加させる必要が生じる。また、高圧領域（Ｈ）中の圧力を上昇させようとした場合の応答性の低下を招く虞もある。
【先行技術文献】
【特許文献】
【０００６】
【特許文献１】特開２００６−９８９７号公報
【特許文献２】実開平４−８４８６４号公報
【発明の概要】
【発明が解決しようとする課題】
【０００７】
本発明の目的は、高圧領域から低圧領域への密封対象流体の漏れ量を抑制しつつ、摺動摩耗を抑制することができるシールリングを提供することである。
【課題を解決するための手段】
【０００８】
本発明に係るシールリングは、
軸の外周に設けられた環状溝に装着され、相対的に回転する前記軸とハウジングとの間の環状隙間を封止して、密封対象流体が存在する高圧領域と低圧領域とを隔てるシールリングにおいて、
低圧領域側の側面において、低圧領域に露出する位置から内周面側に向かって内周面には届かない位置まで延びる溝を備える。
【０００９】
本発明によれば、シールリングに対して環状溝の側面（低圧領域側の側面）が摺動すると、低圧領域に漏れた密封対象流体がシールリングの低圧領域側の側面に形成された溝に取り込まれる。そして、この溝に取り込まれた密封対象流体が環状溝の側面とシールリングとの摺動部に入り込み、該摺動部を通って高圧領域に戻される。そのため、高圧領域から低圧領域への密封対象流体の漏れ量を抑制することができる。
【００１０】
また、本発明によれば、低圧領域に漏れた密封対象流体が、環状溝の側面とシールリングとの摺動部にも戻されることとなるため、該摺動部において十分な厚さの密封対象流体の潤滑膜を安定的に形成させることが可能となる。そのため、摺動摩耗を抑制することもできる。
【００１１】
前記溝における、シールリングに対する環状溝の側面の摺動方向側の壁面は、外周面側から内周面側に向かって、シールリングに対する環状溝の側面の摺動方向に傾斜していてもよい。
【００１２】
これによれば、低圧領域から溝に取り込まれた密封対象流体が、該溝の壁面が傾斜していることで生じるくさび効果により、環状溝の側面とシールリングとの摺動部に入り込み易くなる。そのため、低圧領域に漏れた密封対象流体が高圧領域により戻され易くなり、また、環状溝の側面とシールリングとの摺動部に密封対象流体の潤滑膜がより形成され易くなる。
【００１３】
また、軸とハウジングとが正方向のみならず逆方向にも相対的に回転する場合、シールリングの低圧領域側の側面に前記溝が複数設けられていてもよい。そして、シールリングに対する環状溝の側面の正回転時の摺動方向側の壁面が、外周面側から内周面側に向かって、シールリングに対する環状溝の側面の正回転時の摺動方向に傾斜しており、他の一部の溝における、シールリングに対する環状溝の側面の逆回転時の摺動方向側の壁面が、外周面側から内周面側に向かって、シールリングに対する環状溝の側面の逆回転時の摺動方向に傾斜していてもよい。
【００１４】
これによれば、軸とハウジングとが相対的に正方向又は逆方向のいずれに回転した場合であっても、溝の壁面が傾斜していることで生じるくさび効果を得ることが可能となる。そのため、回転方向によらず、低圧領域に漏れた密封対象流体が高圧領域により戻され易くなり、また、環状溝の側面とシールリングとの摺動部に密封対象流体の潤滑膜がより形成され易くなる。
【００１５】
また、本発明に係るシールリングは、前記溝を第一の溝とすると、低圧領域側の側面において、内周面から外周面側に向かって低圧領域に露出する位置には届かない位置まで延びる第二の溝をさらに備えてもよい。
【００１６】
これによれば、シールリングに対して環状溝の側面（低圧領域側の側面）が摺動すると、高圧領域の密封対象流体が第二の溝に取り込まれる。そして、第二の溝に取り込まれた密封対象流体が環状溝の側面とシールリングとの摺動部に入り込むため、該摺動部に密封対象流体の潤滑膜がより形成され易くなる。
【００１７】
また、シールリングに第二の溝が設けられると、高圧領域の密封対象流体が低圧領域側に送られ易くなるが、低圧領域側に送られた密封対象流体は第一の溝に取り込むことができる。そのため、第二の溝が設けられた場合であっても、高圧領域から低圧領域への密封対象流体の漏れ量を抑制することができる。
【００１８】
前記第二の溝における、シールリングに対する環状溝の側面の摺動方向側の壁面が、内周面側から外周面側に向かって、シールリングに対する環状溝の側面の摺動方向に傾斜していてもよい。
【００１９】
これによれば、高圧領域から第二の溝に取り込まれた密封対象流体が、該溝の壁面が傾斜していることで生じるくさび効果により、環状溝の側面とシールリングとの摺動部に入り込み易くなる。そのため、環状溝の低圧領域側の側面とシールリングとの摺動部に密封対象流体の潤滑膜がより形成され易くなる。
【００２０】
また、本発明に係るシールリングが、軸とハウジングとが正方向のみならず逆方向にも相対的に回転する場合、低圧領域側の側面に前記第二の溝が複数設けられていてもよい。そして、一部の第二の溝における、シールリングに対する環状溝の側面の正回転時の摺動方向側の壁面が、内周面側から外周面側に向かって、シールリングに対する環状溝の側面の正回転時の摺動方向に傾斜しており、他の一部の第二の溝における、シールリングに対する環状溝の側面の逆回転時の摺動方向側の壁面が、内周面側から外周面側に向かって、シールリングに対する環状溝の側面の逆回転時の摺動方向に傾斜していてもよい。
【００２１】
これによれば、軸とハウジングとが相対的に正方向又は逆方向のいずれに回転した場合であっても、第二の溝の壁面が傾斜していることで生じるくさび効果を得ることが可能となる。そのため、回転方向によらず、高圧領域から第二の溝に取り込まれた密封対象流体が環状溝の側面とシールリングとの摺動部に入り込み易くなる。
【発明の効果】
【００２２】
本発明によれば、高圧領域から低圧領域への密封対象流体の漏れ量を抑制しつつ、摺動摩耗を抑制することができる。
【図面の簡単な説明】
【００２３】
【図１】実施例１に係るシールリングの側面図である。
【図２】実施例１に係るシールリングを外周面側から見た図である。
【図３】実施例１に係るシールリングの側面図である。
【図４】実施例１に係るシールリングの模式的断面図である。
【図５】実施例１に係るシールリングの使用状態を示す一部破断斜視図である。
【図６】実施例１に係るシールリングの使用状態を示す模式的断面図である。
【図７】実施例２に係るシールリングの側面図の一部である。
【図８】実施例２に係るシールリングの使用状態を示す一部破断斜視図である。
【図９】実施例３に係るシールリングの側面図の一部である。
【図１０】実施例４に係るシールリングの側面図の一部である。
【図１１】実施例５に係るシールリングを外周面側から見た図の一部である。
【図１２】従来例に係るシールリングの使用状態を示す模式的断面図である。
【発明を実施するための形態】
【００２４】
以下、本発明の具体的な実施形態について図面に基づいて説明する。本実施例に記載されている構成部品の寸法、材質、形状、その相対配置等は、特に記載がない限りは発明の技術的範囲をそれらのみに限定する趣旨のものではない。
【００２５】
＜実施例１＞
図１〜６を参照して、本発明の実施例１に係るシールリングについて説明する。本実施例に係るシールリングは、軸の外周に設けられた環状溝に装着され、軸とハウジングとの間の環状隙間を封止して、密封対象流体が存在する高圧領域と低圧領域とを隔てるものである。本実施例では、ハウジングに対して軸が回転する。ただし、本発明に係るシールリ
ングは、軸に対してハウジングが回転する構成や、軸とハウジングとの両方が相対的に回転する構成にも適用することができる。
【００２６】
［シールリングの構成］
図１〜４は、本実施例に係るシールリング１００の構成を示す図である。図１，３は、シールリング１００の側面図である。図１は、シールリング１００が軸の環状溝に装着された際に低圧領域側に面する側面を示しており、図３は、シールリング１００が軸の環状溝に装着された際に高圧領域側に面する側面を示している。図２はシールリング１００の外周面側から見た図を示している。図４は図１中のＡＡ断面図である。
【００２７】
本実施例に係るシールリング１００は、ＰＴＦＥなどの樹脂製の環状部材であり、周方向の１か所にカット部（合口）Ｃが設けられている。本実施例においては、両側面側及び外周面側のいずれもステップ状に切断された特殊ステップカットの場合を示しているが、カット部Ｃについては各種の公知技術を採用し得る。
【００２８】
また、本実施例に係るシールリング１００においては、軸の環状溝に装着された際に低圧領域側に面する側面（低圧領域側の側面）に溝１１０が複数設けられている。これらの溝１１０は、外周面から内周面側に向かって内周面には届かない位置まで延びるように構成されている。
【００２９】
［シールリングの動作］
次に、図５，６を参照して、本実施例に係るシールリング１００の動作について説明する。図５，６は本実施例に係るシールリングの使用状態を示す一部破断斜視図である。図５は、メカニズムが分かり易いように透視図にて示している。
【００３０】
本実施例に係るシールリング１００は、軸２００の外周に設けられた環状溝２１０に装着され、軸２００とハウジング３００との間の環状隙間を封止する。これにより、油などの密封対象流体が存在する高圧領域（Ｈ）と低圧領域（Ｌ）とが隔てられる。ここで、シールリング１００は、高圧領域（Ｈ）中の密封対象流体の流体圧力によって、環状溝２１０の低圧領域（Ｌ）側の側面と、ハウジング３００における軸孔の内周面３１０に対して密接した状態を維持することにより、シール性を発揮する。また、シールリング１００は、軸２００がハウジング３００に対して回転すると、環状溝２１０の低圧領域（Ｌ）側の側面や、ハウジング３００における軸孔の内周面３１０に対して摺動する。
【００３１】
シールリング１００の低圧領域（Ｌ）側の側面に設けられた溝１１０は、シールリング１００の外周面から内周面側に向かって内周面には届かない位置まで延びている。つまり、溝１１０は、シールリング１００の低圧領域（Ｌ）側の側面において、低圧領域に露出する位置から内周面に向かって延び、且つ、高圧領域には達しないように構成されている。
【００３２】
以上のように構成されるシールリング１００においては、軸２００が回転し、シールリング１００に対して環状溝２１０の側面（低圧領域（Ｌ）側の側面）が摺動することによって、高圧領域（Ｈ）から低圧領域（Ｌ）に漏れた密封対象流体が溝１１０に取り込まれる（尚、図５，６において、白抜き矢印は軸２００の回転方向を示している）。
【００３３】
溝１１０に取り込まれた密封対象流体は、該溝１１０における軸２００の回転方向側の側面（即ち、シールリング１００に対する環状溝２１０の側面の摺動方向側の側面）に沿って内周面側に向かって移動する。そして、このような溝１１０内における密封対象流体の移動に伴って生じる圧力によって密封対象流体が環状溝２１０の側面とシールリング１００との摺動部に入り込む。この摺動部に入り込んだ密封対象流体は該摺動部を通って高
圧領域（Ｈ）に戻る（尚、図５において、矢印は密封対象流体の移動を示している）。
【００３４】
［本実施例に係るシールリングの優れた点］
以上説明したように、本実施例に係るシールリング１００によれば、溝１１０を設けたことによって、低圧領域（Ｌ）に漏れた密封対象流体が該溝１１０に取り込まれ、該溝１００に取り込まれた密封対象流体が高圧領域（Ｈ）に戻される。そのため、高圧領域（Ｈ）から低圧領域（Ｌ）への密封対象流体の漏れ量を抑制することができる。
【００３５】
これにより、高圧領域（Ｈ）内の圧力を所望の圧力に維持するために該高圧領域（Ｈ）に供給する密封対象流体の量を抑制することができ、また、高圧領域（Ｈ）中の圧力を上昇させようとした場合の応答性を向上させることができる。
【００３６】
また、本実施例に係るシールリング１００によれば、低圧領域（Ｌ）に漏れた密封対象流体が、環状溝２１０の側面とシールリング１００との摺動部にも戻されることとなるため、該摺動部において十分な厚さの密封対象流体の潤滑膜を安定的に形成させることが可能となる。
【００３７】
これにより、摺動抵抗の増大を抑制することができる。また、摩耗粉や異物などが摺動部に介在することに起因する摺動摩擦の増大も抑制することができる。そのため、摺動摩耗を抑制することもできる。
【００３８】
［その他］
尚、本実施例においては、シールリング１００の両側面に溝１１０を設けてもよい。これによれば、シールリング１００を軸２００に装着する際に方向性を考えなくても良いので、装着作業が容易となる。また、高圧側と低圧側が交互に入れ替わるような装置に用いられる場合には、シールリング１００の両側面に溝１１０を設けておくことで、高圧側と低圧側が入れ替わった場合においても、上記のような効果を得ることができる。
【００３９】
また、シールリング１００の側面に設けられる溝１１０は、必ずしも外周面から延びる必要はなく、低圧領域に露出する位置から内周面に向かって延びていればよい。溝１１０が低圧領域に露出さえしていれば、シールリング１００に対して環状溝２１０の側面が摺動した際に、低圧領域に漏れた密封対象流体が該溝１１０に取り込まれる。そのため、低圧領域に漏れた密封対象流体を高圧領域に戻すことができる。
【００４０】
＜実施例２＞
図７，８を参照して本発明の実施例２に係るシールリングについて説明する。本実施例に係るシールリングは、実施例１に係るシールリングとは溝の構成が異なっている。尚、実施例１と同様の構成および作用については説明を省略する。
【００４１】
［シールリングの構成］
図７は、本実施例に係るシールリング１００ａの側面図の一部である。図７は、シールリング１００ａの低圧領域（Ｌ）側の側面を示している。
【００４２】
本実施例に係るシールリング１００ａの低圧領域（Ｌ）側の側面には溝１１０ａが複数設けられている。これらの溝１１０ａは、実施例１と同様、外周面から内周面側に向かって内周面には届かない位置まで延びるように構成されている。ただし、実施例１では、シールリング１００の側面に設けられた溝１１０は該シールリング１００の径方向に延びていたが、本実施例では、溝１１０ａが、外周面側から内周面側に向かって軸２００の回転方向（即ち、シールリング１００ａに対する環状溝２１０の側面の摺動方向）に傾斜するように構成されている（尚、図７，８において、白抜き矢印は軸２００の回転方向を示し
ている）。
【００４３】
［シールリングの動作および本実施例に係るシールリングの優れた点］
次に、図８を参照して、本実施例に係るシールリング１００ａの動作について説明する。図８は本実施例に係るシールリングの使用状態を示す一部破断斜視図である。図８は、メカニズムが分かり易いように透視図にて示している。
【００４４】
本実施例に係るシールリング１００ａにおいては、溝１１０ａが、外周面側から内周面側に向かって軸２００の回転方向に傾斜するように構成されている。これにより、溝１１０ａにおける軸２００の回転方向側の側面が、外周面側から内周面側に向かって軸２００の回転方向に傾斜した構成となっている。
【００４５】
本実施例に係るシールリング１００ａにおいても、実施例１と同様、シールリング１００ａに対して環状溝２１０の側面（低圧領域（Ｌ）側の側面）が摺動することで低圧領域（Ｌ）から溝１１０ａに取り込まれた密封対象流体は、該溝１１０ａにおける軸２００の回転方向側の側面に沿って内周面側に向かって移動し、環状溝２１０の低圧領域（Ｌ）側の側面とシールリング１００ａとの摺動部に入り込む（尚、図８において、矢印は密封対象流体の移動を示している）。
【００４６】
このとき、上記のように溝１１０ａの軸２００の回転方向側の側面が傾斜していると、該溝１１０ａ内においては、くさび形状の空間におけるより狭い部分に向って密封対象流体が送り込まれることとなるため、くさび効果が生じる。そのため、密封対象流体が環状溝２１０の側面とシールリング１００ａとの摺動部に入り込み易くなる。従って、低圧領域（Ｌ）に漏れた密封対象流体が高圧領域（Ｈ）により戻され易くなり、また、環状溝２１０の側面とシールリング１００ａとの摺動部に密封対象流体の潤滑膜がより形成され易くなる。
【００４７】
＜実施例３＞
図９を参照して本発明の実施例３に係るシールリングについて説明する。本実施例に係るシールリングは、実施例１に係るシールリングとは溝の構成が異なっている。尚、実施例１と同様の構成および作用については説明を省略する。
【００４８】
［シールリングの構成］
図９は、本実施例に係るシールリング１００ｂの側面図の一部である。図９は、シールリング１００ｂの低圧領域（Ｌ）側の側面を示している。
【００４９】
本実施例では、軸２００がハウジング３００に対して正方向のみならず逆方向にも回転する。そして、本実施例に係るシールリング１００ｂの低圧領域（Ｌ）側の側面には溝１１０ａ，１１０ｂがそれぞれ複数設けられている。これらの溝１１０ａ，１１０ｂは、実施例１と同様、外周面から内周面側に向かって内周面には届かない位置まで延びるように構成されている。
【００５０】
溝１１０ａは、外周面側から内周面側に向かって軸２００の正回転方向に傾斜するように構成されている。一方、溝１１０ｂは、外周面側から内周面側に向かって軸２００の逆回転方向に傾斜するように構成されている（尚、図９において、実線の白抜き矢印は軸２００の正回転方向を示しており、破線の白抜き矢印は軸２００の逆回転方向を示している）。溝１１０ａと溝１１０ｂは交互に並んで設けられている。
【００５１】
［本実施例に係るシールリングの優れた点］
上記のような構成によれば、軸２００が正方向に回転した場合は、溝１１０ａの軸２０
０の正回転方向側の側面（即ち、シールリング１００ｂに対する環状溝２１０の側面の正回転時の摺動方向側の側面）が傾斜していることで生じるくさび効果を得ることができる。一方、軸２００が逆方向に回転した場合は、溝１１０ｂの軸２００の逆回転方向側の側面（即ち、シールリング１００ｂに対する環状溝２１０の側面の逆回転時の摺動方向側の側面）が傾斜していることで生じるくさび効果を得ることができる。そのため、軸２００の回転方向によらず、環状溝２１０の側面とシールリング１００ｂとの摺動部に密封対象流体が入り込み易くなる（尚、図９において、実線の矢印は、軸２００が正方向に回転した場合の密封対象流体の移動を示しており、破線の矢印は、軸２００が逆方向に回転した場合の密封対象流体の移動を示している）。従って、低圧領域（Ｌ）に漏れた密封対象流体が高圧領域（Ｈ）により戻され易くなり、また、環状溝２１０の側面とシールリング１００ｂとの摺動部に密封対象流体の潤滑膜がより形成され易くなる。
【００５２】
＜実施例４＞
図１０を参照して本発明の実施例４に係るシールリングについて説明する。本実施例に係るシールリングは、実施例１に係るシールリングとは溝の構成が異なっている。尚、実施例１と同様の構成および作用については説明を省略する。
【００５３】
［シールリングの構成］
図１０は、本実施例に係るシールリング１００ｃの側面図の一部である。図１０は、シールリング１００ｃの低圧領域（Ｌ）側の側面を示している。
【００５４】
本実施例に係るシールリング１００ｃの低圧領域（Ｌ）側の側面には溝１１０ａ，１１０ｃがそれぞれ複数設けられている。溝１１０ａは、実施例２と同様、外周面から内周面側に向かって内周面には届かない位置まで延び、且つ、外周面側から内周面側に向かって軸２００の回転方向（即ち、シールリング１００ｃに対する環状溝２１０の側面の摺動方向）に傾斜するように構成されている（尚、図１０において、実線の白抜き矢印は軸２００の回転方向を示している）。
【００５５】
一方、溝１１０ｃは、内周面から外周面側に向かって低圧領域（Ｌ）に露出する位置には届かない位置まで延び、且つ、内周面側から外周面側に向かって軸２００の回転方向に傾斜するように構成されている。これにより、溝１１０ｃにおける軸２００の回転方向側の側面が、内周面側から外周面側に向かって軸２００の回転方向に傾斜した構成となっている。
【００５６】
［本実施例に係るシールリングの優れた点］
上記のような構成によれば、軸２００が回転し、シールリング１００ｃに対して環状溝２１０の側面（低圧領域（Ｌ）側の側面）が摺動することによって、高圧領域（Ｈ）の密封対象流体が溝１１０ｃに取り込まれる。そして、溝１１０ｃに取り込まれた密封対象流体が環状溝２１０の側面とシールリング１００ｃとの摺動部に入り込むため、該摺動部に密封対象流体の潤滑膜がより形成され易くなる。
【００５７】
また、シールリング１００ｃにおいて内周面から外周面側に向かって延びる溝１１０ｃが設けられると、高圧領域（Ｈ）の密封対象流体が低圧領域（Ｌ）側に送られ易くなるが、低圧領域（Ｌ）側に送られた密封対象流体は外周面から内周面側に向かって延びる溝１１０ａに取り込むことができる。そのため、溝１１０ｃが設けられた場合であっても、高圧領域（Ｈ）から低圧領域（Ｌ）への密封対象流体の漏れ量を抑制することができる（尚、図１０において、矢印は密封対象流体の移動を示している）。
【００５８】
［その他］
尚、本実施例に係るシールリング１００ｃおいては、必ずしも、溝１１０ａおよび溝１
１０ｃが傾斜するように構成されていなくともよい。つまり、溝１１０ａおよび溝１１０ｃはシールリング１００ｃの径方向に延びるように構成されていてもよい。ただし、溝１１０ａおよび溝１１０ｃが、軸２００の回転方向に向って傾斜していると、上記のように、くさび効果が生じる。そのため、溝１１０ａまたは溝１１０ｃに取り込まれた密封対象流体が環状溝２１０の側面とシールリング１００ｃとの摺動部に入り込み易くなる。
【００５９】
また、本実施例に係る軸２００が、実施例３のように、ハウジング３００に対して正方向のみならず逆方向にも回転するものである場合、本実施例に係るシールリング１００ｃおいても、実施例３のように、隣り合う溝１１０ａの間に、外周面から内周面側に向かって内周面には届かない位置まで延び、且つ、溝１１０ａとは逆方向に傾斜した溝を設けてもよい。そして、さらに、隣り合う溝１１０ｃの間に、内周面から該周面側に向かって低圧領域（Ｌ）に露出する位置には届かない位置まで延び、且つ、溝１１０ｃとは逆方向に傾斜した溝を設けてもよい。
【００６０】
これによれば、軸２００が逆方向に回転した場合、溝１１０ｃとは逆方向に傾斜した溝において、くさび効果を得ることができる。そのため、軸２００の回転方向によらず、高圧領域（Ｈ）の密封対象流体が環状溝２１０の側面とシールリング１００ｃとの摺動部に入り込み易くなる。そのため、環状溝２１０の側面とシールリング１００ｃとの摺動部に密封対象流体の潤滑膜がより形成され易くなる。
【００６１】
＜実施例５＞
図１１を参照して本発明の実施例５に係るシールリングについて説明する。本実施例に係るシールリングは、実施例１に係るシールリングとは溝の構成が異なっている。尚、実施例１と同様の構成および作用については説明を省略する。
【００６２】
［シールリングの構成］
図１１は、本実施例に係るシールリング１００ｄを外周面側から見た図の一部である。シールリング１００ｄにおいては、低圧領域（Ｌ）側の側面に設けられた溝１１０ｄの両側面が、高圧領域（Ｈ）側から低圧領域（Ｌ）側に向って広がる方向に傾斜するように構成されている。
【００６３】
［本実施例に係るシールリングの優れた点］
本実施例に係るシールリング１００ｄにおいても、実施例１と同様、軸２００に対してシールリング１００ｄが摺動することで低圧領域（Ｌ）から溝１１０ａに取り込まれた密封対象流体は、該溝１１０ｄにおける軸２００の回転方向側の側面（即ち、シールリング１００ｄに対する環状溝２１０の側面の摺動方向側の側面）に沿って内周面側に向かって移動する。このとき、上記のように溝１１０ｄの側面が傾斜していると、密封対象流体が、該側面に沿って低圧領域（Ｌ）側に向う方向にも移動する。これにより、溝１１０ｄ内においては、溝が外周面側から内周面側に向かって軸２００の回転方向に傾斜するように構成されている場合と同様、くさび形状の空間におけるより狭い部分に向って密封対象流体が送り込まれることとなるため、くさび効果が生じる。そのため、密封対象流体が環状溝２１０の側面とシールリング１００ｄとの摺動部に入り込み易くなる。
【００６４】
［その他］
尚、本実施例に係るシールリング１００ｄにおいては、必ずしも、溝１１０ｄの両側面が傾斜するように構成されていなくともよい。つまり、溝１１０ｄにおける軸２００の回転方向側の側面が、高圧領域（Ｈ）側から低圧領域（Ｌ）側に向って軸２００の回転方向に傾斜していれば、上記のようなくさび効果を得ることができる。
【００６５】
さらに、本実施例に係るシールリング１００ｄにおいても、実施例２と同様、溝１１０
ｄが、外周面側から内周面側に向かって軸２００の回転方向に傾斜するように構成されていてもよい。これによれば、くさび効果によって、密封対象流体が環状溝２１０の側面とシールリング１００ｄとの摺動部により入り込み易くなる。
【００６６】
尚、上記実施例１〜５においては、シールリング１００，１００ａ、１１０ｂ、１００ｃ、１００ｄの低圧領域側の側面に溝１１０，１１０ａ，１１０ｂ，１１０ｃ，１１０ｄを設けた構成としたが、これらの溝と同様の形態の溝をシールリングの外周面に設けてもよい。これによれば、ハウジングにおける軸孔の内周面がシールリングの外周面に対して摺動した場合に、上記各実施例に係るシールリングと同様の効果を得ることができる。
【符号の説明】
【００６７】
１００，１００ａ，１００ｂ，１００ｃ，１００ｄ  シールリング
１１０，１１０ａ，１１０ｂ，１１０ｃ，１１０ｄ  溝
２００  軸
２１０  環状溝
３００  ハウジング
３１０  内周面
Ｃ  カット部
【図１】
2013185689.tif 000003
【図２】
2013185689.tif 000004
【図３】
2013185689.tif 000005
【図４】
2013185689.tif 000006
【図５】
2013185689.tif 000007
【図６】
2013185689.tif 000008
【図７】
2013185689.tif 000009
【図８】
2013185689.tif 000010
【図９】
2013185689.tif 000011
【図１０】
2013185689.tif 000012
【図１１】
2013185689.tif 000013
【図１２】
2013185689.tif 000014